(57)【要約】      （修正有）【課題】海洋の波に関して現時点では、他のエネルギー源、例えば、石油、天然ガス、原子力、水力などと比べて有望なエネルギー源に成り得ていない。今回海洋の波の持つエネルギーを振り子式と言われる、軸を中心にして動く板、つまり、受け板と言われる板で受け、それによって得た波エネルギーを、回転運動に変えて発電化へと導く技術を提供する。【解決手段】その上述の課題に対して、例え、不規則な波に対して、柔軟に対処できる方法として、発想の転換をもって、それに臨もうとした。その波の持つエネルギーを高速回転化ではなく、むしろ、それを低速にして、その得たエネルギーを高所に運ぶ、それをもって、エネルギーの安定化を図る。しかる後に、その安定したエネルギーをもって、その発電を行う。それを行う手段として、新たに開発したチェーンブロックをもって、それを行おうとする。【選択図】図２
2019183822.tif 000002
【特許請求の範囲】
【請求項１】
本発明者が以前、波力発電装置として、特願２０１１−１７８６０８  を得た。その装置内の中に動力取得装置と記載されて装置がある。その波力発電装置で得たエネルギーを電気エネルギーに変えるべく、その波力発電装置で得たエネルギーをその動力取得装置の手前に、鎖歯車の軸が保持している。その鎖歯車の軸が保持しているエネルギーを海水が受け、それを高所に運び、ある高さを得て、その海水をもって発電をしようとするシステム。
【請求項２】
前記請求項１において、それは、本出願者が、以前、それに関して、特許を得てのものであったが、他の波力発電装置においても、その波力発電装置で得たエネルギーを電気エネルギーに変えるべく、その波力発電装置で得たエネルギーを海水が受け、それを高所に運び、ある高さを得て、その海水をもって発電をしようとするシステム。
【発明の詳細な説明】
【技術分野】
【０００１】  本発明は海洋の波の持つエネルギーを振り子式と言われる、軸を中心にして動く板、つまり、受け板と言われる板で受け、それによって得た波エネルギーを、回転運動に変え、更に、その持つエネルギーを発電化へと導く、それに関するものである。
【技術背景】
【０００２】地球の温暖化対策として、自然エネルギーから得ようとして、多数、試みられている。
風力、太陽光、地熱、海洋の波などがその候補である。その中で、海洋の波の持つエネルギーは絶大であると予想される。もしそれの発電化が可能であるならば、その温暖化対策として有力である。それは、全くと言って言いほど二酸化炭素を出さないエネルギー源であるからである。その海洋の波からの発電化の取り組みは、わが国の特許資料を見ても多数なされている。その波の持つエネルギーとして、進み来る波、すなわち、進行波からのエネルギー取得をなそうとする考案もまた幾つかある。それは上下波のそれに対して大規模発電が可能な技術分野であり、今後もそれに対しての開発が期待されるところである。
【先行技術文献】
【０００３】
【特許文献１】特公開２００１−２７１７３５
【特許文献２】特公開２００２−１４２４９８
【特許文献３】特願２０１０−１１００９３
【特許文献４】特願２０１１−１７８６０８
【発明の概要】
【発明が解決しようとする課題】
【０００４】沖より進み来る波、即ち、進行波の持つエネルギーに着目し、それのエネルギーの取得を目指し、それを形にし得たのが［特許文献３］［特許文献４］である。それは、以前、本出願者が、特許として出願したものである。［特許文献１］、［特許文献２］は本出願者が得たとするその波力装置と同様なものがあるのか、どうかを調べる過程で知り得たものである。それについて、少し述べると、［特許文献１］、［特許文献２］と［特許文献３］［特許文献４］の大きな違いは、その波を、ある支点を中心にして、受け板と言われる板で波を受けるのは同じであるが、前者においてはその受け板の回転は、波のその周期と同じで、初期より、極めて低速で、それを元にして、回転を上げて発電をしようすると、その動力伝達手段に課題があった。それに対して後者のそれは、その受け板と支点は同じであるが、その受け板と芯を同じくする円盤がその受け板の両側に固定され、その受け板の動きが、円盤の動きとなる。仮に、その円盤に歯を施したならば、すこぶる大きな歯車となる。それと対になる小歯車を用意したならば、その初期より、その小歯車は早い回転を得ている。この事から、［特許文献３］［特許文献４］のそれは、［特許文献１］、［特許文献２］に比べ、電気を得るには、より有利と思える。また、その［特許文献３］の装置は、その小歯車にラチェットが具されていて、それにより、同技術は、初期より、適度な回転と同時に、エネルギーの一方向性を確保されている。そのエネルギーの一方向性をバネで受け、その蓄えられたエネルギーをその波が行き過ぎた後、放出したならば、電気が得られる。それが、その［特許文献３］での記載内容である。しかし、その［特許文献３］には課題があった。それは、その波のエネルギーを蓄えるに、それをバネでしようとした。しかし、バネは海水に弱い。その海水によって、バネは腐食し、破損する。それは、ある設計士の指摘であった。それに対して、そのバネを蛇腹のチューブで覆うとの解決策も無いでもないが、他に、その装置の大型化は、必然的にそのバネの大型化を伴う。それへの根本的な解決策が求められ、それを解決したのが、その［特許文献４］である。しかし、その［特許文献４］も、実際に部材を取り寄せ、その技術の完成を目指そうとすると新たの問題が浮かび上がって来た。それは、その［特許文献４］の中の図６で示される動力取得装置に関して、である。仮に、その図の如く、その動力取得装置をもって、電気を得ようすると、そのままの回転で電気を得るには十分とは言えず、更に増速装置等をもって回転を上げる必要がある。また、不規則に変わる波に対して、その動力取得装置をもって、波エネルギーを電気エネルギーに変えるには，柔軟な特性を持った発電機が求められる。しかし、実際に、それに適した発電機を得ようとしても、容易にそれを見つけ得なかった。試みに、自転車等に使われる発電機を用いて、電気を得ようすると、確かに、小電灯位は点灯させ得た。しかし、大型、あるいは、超大型となると、発電機等の技術的な面もあり、それ以降は容易に前に進み得ずであった。つまり、折角の得た技術であったが、その実現化にはなお、課題があった。
【課題を解決するための手段】
【０００５】既に、本発明者は、波の持つ特質を知り、そこからエネルギーを取り出し、回転化に導く装置を創り得た。［特許文献４］などがそれである。しかしそこにも、なお、課題があった。それは、図６で示される動力取得装置に関して、である。その装置より電気を得る一つの方法としては、その装置において、更に回転を上げ、それによって電気を得る。そのような方法もある。しかし、その具体化となると、既に話をしたように、発電機等の問題もあって、容易に前に進み得なかった。そんな中で、ある物を見ての事であった。それは、発想の大転換とも言えるもので、その行き着くところは、水力発電である。そのある物とは、作業用具の一つ、チェーンブロックである。その用具を使い、海水を高所に運び、しかる後、それによって電気を得よう、と。そのチェーンブロックについて、説明する必要はないと思われるが大まかに言って、それは、以下である。それは、仕事場で、あるいは、作業場で、普通、人が重い物を持ち上げる時、使われる用具で、通常、そのチェーンブロックは、二つのチェーンが組み込まれているが、細い方のリングはエンドレスであるが、太い方のリングはエンドレスではない。しかし、今回のそれは、その太い方のリングもエンドレスにして使おうとする。その太い方のリングは、重い物を持ち上げるのに使うのであるが、その重い物を持ち上げるべくで、細い方のリングを使う。その細い方のリングを人の手によって動かし、その重い物を持ち上げる。それがチェーンブロックであるが、その太い方のリングをエンドレスにして、それをどう、使おうとするのか？  である。【０００６】それはどちらが先だったのか、今、その記憶はハッキリしないが、上の述べたチェーンブロックについて、力学的な説明をする。
それは、時々、我々が公園を通る時、見かけるシーソーについてである。そこに、時に、子供が乗って遊ぶ用具がある。そのシーソーは、長い板の中心に支点があって、そのシーソーの両端に子供が乗ると、子供はほとんど、体重が同じだから、最初はそのシーソーの板は地面と平行を保っている。しかし、一方の子供が地面を蹴ると、蹴った方の子供とその台は上がり、他方の端に乗っている子供の台は下がる。また、一旦、下がった方の子供も、次に、そこで足で地面を蹴ると、今度はその子供の方は、地面より上に行き、他方の端に乗っている子供の台は下がる。それが楽しくて、子供は、それに乗って遊んでいます。それに子供が乗って楽しむ、ただの遊具がある。しかし、良く考えてみると、そこに思いもしないヒントが隠されているのに気付く。この場合、そのシーソーに乗っているのは、一方の端に子供が一人、他方の端にも子供が一人である。  そのシーソーの端に、もう一人の子供が乗ったらどうなるのか？  片方は上がったままだし、他方は下がったままである。  更に、２人が３人、４人なったらどうなるであろうか？  他方にいる子供は如何にもがいても、もう、地面に戻れないでいる。
ところが、である。ここで、そのシーソー全体を考えてみる。この場合、そのシーソーの支点は長い板の中心である。その支点をずらしたらどうなるのか？  その支点の位置を変えるのである。すると、ある位置では、高く上がっていたシーソーの端は下がり、地面と平行になってくる。つまり、力のバランスが保たれる位置がある。この場合、そのシーソーの左右の動きを見ると、軽い方は大きく動き、重い方はわずかしか動かない。これは、一体、何を意味しているか？  である。
それは、以前、本出願者が出願した時の、その［特許文献４］の中で、一つの図、図６を見て頂き、それと今回の、そのシーソーの話とを重ね合わして、考えてみると理解されることである。その図６であるが、その中で、鎖歯車の軸が、直接、そのｄ；動力取得装置に連結されている。仮に、その鎖歯車の軸の回転によって、電気を起こせるならば、何ら、問題ではない。しかし、現実には、その回転では、電気を起こすことが出来ない。その軸を回転を得て、電気を起こそうとすると、更に、回転を上げる必要がある。この事を、シーソーで説明すると、シーソーの中心にあった、その支点を、ずらし、それによって、そのシーソーの端が大きく動く方があった。それと、軸の回転を更に、上げようとする事とが同じではないか？  シーソーの端に、２人、３人と、子供が乗った時、如何にして、そのシーソーのバランスを保つかであったが、そのバランスを保つべく、最初、シーソーの中心にあった、その支点をずらし、それによって、そのシーソーを地面と平行にし得た。力のバランス、つまり、大きく動いたシーソーの端と、少ししか動かない、そのシーソーの端とは対等である。それをエネルギーで説明すると、どちらも同じだけのエネルギーを持っている、そのように説明できる。そして、そのチェーンブロックの話である。人が細い方のリングを手で掴み、そのリングを引き下げて、それによって、太い方のリングを動かそうとする。その場合、その太い方のリングには、例え、その物が重くても、それを動かせる。しかし、その動きは僅かである。その僅かしか動かない方と、そのシーソーの端に、子供が２人、３人と乗っている方とは同じである。この事から、推し測れる事は、そのチェーンブロックで、重い物を持ち上げて、電気を得ようする事と、先ほどの、その動力取得装置において、その鎖歯車の軸の回転を上げて、電気を得ようとする事と何ら変わらないのではないか？  今、そのチェーンブロックで、重い物を持ち上げると話をしたが、その重い物を海水に置き換えたらどうか？  そこに、新たな予感を本出願者は感じた。その後の事は、それによる新たな技術の構築である。それが、今回の課題を解決しようする手段となった。【０００７】その新たな技術の構築、その課題を解決しようする手段についてであるが、それを示すには、図が一番と思い、その図の表示から始める。
図１は、二つの施設を表したものである。左のその施設であるが、それを海岸より海に向かい、ある地点に設置しようする。その施設は常に、一部、海中にあり、その上部は海面より上にある。その図１の右の図は、その施設に隣接する、水槽と呼ばれるもので、それを表そうとしたものである。
次に、その図１の施設に、新たに得たそのチェーンブロックを取り付けることを考える。それを図にしたのが、図２である。図２の左の図は、その概念を示し、その右の図は、その具体的な内容を示したものです。
通常、チェーンブロックは細い方のリングを手に取って掴み、下に押し下げ、それによってその重い物を持ち上げることを目的としているが、その人の手を波の力に置き換えたならば如何なること起こるのかである。その場合、太い方のリングは通常の物とは比較にならないほど重い物を持ち上げることが出来るはずである。例え、海水の入った箱であっても、である。桁違いに重い海水、それは、すなわち、そのリングは多くの海水の入った箱を持ち上げられることを意味している。図２の右の図は、それを示そうとしたものである。最初、その箱は海中にある。その箱には蓋はない、としよう。その海水の入った箱を海中から海面へ、そして、海面から海上へ、更に、その海上より上へ上へと押し上げようとする光景、図２の右の図は、それを表そうとしたものである。
今、その光景を説明すると、上段の右端にそのチェーンブロックがある。そのチェーンブロックの太い方のリングがその施設を一巻して、元のチェーンブロックに収まるように描かれている。そのリングの動きを滞りなくすべく、他の三つの滑車が用意されている。
そのチェーンブロックには、他に、細い方のリングもある。それが、一巻しているその太い方のリングの内に描かれている。この場合、その細い方のリングを動かすと、その太い方のリングも動く。その動きは、既に説明したように、僅かである。しかしその分、重い物を持ち上げることができる。その細い方のリングを動かそうとするのは、今回、人の手ではない。それを波の力でしようとする。一体、それによってどのような事が起きるのか？  もう、言わずもがな、である。その波の力が大きければ大きいほど、より早く、より重く、海水の入ったその箱を海面より上へ上へと持ち上げることが出来る。
次に、その細い方のリングであるが、その細い方のリングもまた、そのチェーンブロックから出て、再び、その元のチェーンブロックに収まるのであるがその間、そのリングは動く。その様子を示そうとしたのが、その図２である。そのリングは、一時、海中にある。それも図に示されている。その図に、そのリングが海中に入る前、一つの滑車があって、リングがその滑車の回りを一回転し、再び、海中へと向かう様子も描かれている。その滑車についてであるが、その滑車は、チェーンブロックのその滑車と同じで、その滑車の内側は入り組んだものが固定されていて、それにより、その細い方のリングと滑車の動きとは、決して、ずれないようになっている。
この場合、主体は滑車であって、リングではない。その滑車の回転によって、そのリングは動くが、これがもたらすものは如何に？  である。それは言うまでも無い。これにより、折角得たその波のエネルギーは失うことなく、次のチェーンブロックのその太い方のリングへ、そして、それが移送される。その間、エネルギーロスはほとんど無い。
その任を担っているのが、その二つの滑車である。【０００８】その細い方のリングの動きによって、太い方のリングも動く。その太いリングの動きにより、その海水の入った箱が海面より上へ、上へと押し上げる。それは、波の持つエネルギーは、最早、回転エネルギーではなく、位置のエネルギーに変えようとするものである。その位置のエネルギーは、その落差とその質量の大きさはよって決まる。その波の持つエネルギーを安定した位置のエネルギーに変えよう。そこに、大きな発想の転換がある。
図２の右の図は、それを示そうとしたものである。
これにより、今装置の全体像が、可なり、見えて来たのではないか？
しかし、なおも考慮すべきものがある。それは、［特許文献４］の中の、図６で示される動力取得装置に関して、である。その図の中で、鎖歯車の軸は、直接、その動力取得装に連結されている。それと同様に、その鎖歯車の軸とその滑車の軸とを直接、連結すべきかどうか？  特に大きな問題はなさそうに見える。その理由としては、細い方のリングによって動いたその太い方のリングは、一旦、その重量物の動く方向が定まると、その細い方のリングのその動きが止まっても、その太い方のリングは逆方向に戻らない。この事は、一旦、海面より上がった、その海水入りの箱は、そのまま、その位置を保ち続けられることを意味している。その細い方の、もう一つのリングの下向きの動きがあって、初めて、その太い方のリングは逆方向に動く。
（最初に戻って）その波力発電のその振り板の動きは、沖より進み来る波によってもたらされる。その波が通り過ぎた後、その振り板に、その板を押さえる力がなくなる。その後は、結局のところ、［特許文献４］の図７に記載されている、ｃ；錘（Ｗ）のその重さにより、その振り板は元の位置に戻る。この場合、その振り板を戻すその力と、沖より進み来る波が、その振り板を押そうとする力とを比較すると、圧倒的に、その沖より進み来る波の力の方が大きい。従って、細い方のリングを動かそうとする、その滑車にあっては、その逆向きの回転は無視出来る。そのように考えることも出来る。しかし、エネルギーの一方向性を確保する。それは、そのラチェットの爪の働きによってもたらされるもので、そのラチェットには他に、空回りと言う働きもある。これもあって、用、不用を問わず、その鎖歯車の軸とその滑車の軸との間に、一つのラチェットを設けようとする。
他に、本技術構築に、述べるべきことがあろう。それは、図３で示されている事についてである。その箱がある高さに達した時、その箱に入っている海水を別の容器、すなわち、水槽へ移す。その水槽へ移す作業が、その図に示されていない。その作業を如何にするのか？  それを解決する方法は、幾つもあると思われる。それについても、大まかではあるが、その一つの例でも示そうとする。  以下はそれである。【０００９】その図１の施設には、海面に対して、垂直に伸びた面がある。その施設の上段にチェーンブロックがあり、その真下には、一つの滑車がある。それを示したのが、図２の右図である。そのチェーンブロックと、真下にある滑車とが、その間、やや太いリングによって結ばれ、繋がっている。そのリングの移動と共に、そのリングに取り付けられた箱は動く。その箱がある高さに達した時、その箱の扉が開くことが求められる。それを実現するには、一つの仕掛けが必要である。その箱はその施設の面に沿って動くのであるが、その施設の途中で、その施設の面、その滑り板の側面に、ある固定した物を用意する。
一方、その面に沿って動く、その箱の面にも突き出た物を用意する。その箱が施設の面に沿って動くのであるが、その箱の突き出た物が、その施設に固定された物に当たった時、その箱の突き出た物が動く。その動きは、ある支点があって、その支点を中心にして回ろうとするもので、それによって、その箱の扉が開く。そのようにすればよい。
（話は前後するが）その様子を描こうとしたのが図５である。そこに記されている、支点Ａが、その突き出た物の支点である。その突き出た物が、その施設に固定された物に当たった時、その突き出た物は、その支点Ａを中心にして回る。その動きが右側の扉の方に伝えられる。一方、その扉の方にも、一つの支点がある。そこに記されている、支点Ｂがそれである。その右の動きを左に伝えようとするのが、連結板Ｄである。
そして、図４を見る。
図４の左の図を見ると、その箱の前面上部に横に延びた二本の線が記されている。
その二本の線より上は平板である。それを便宜上、イと記しておこう。
そのイが上に動くように設計されている。そして、その横に延びた二つの線より下が箱の扉である。その平板イは通常は、その扉の開きを止める役を担っているが、その平板イが上に動くと、その箱の扉の開き止める物が無くなり、それによってその扉が開く。その扉の構造は、その図の下端に、ある太さ径の棒があり、その棒の両端に段付きの細径になった部分がある。その細径部をある大きさ角板がそれを受ける。勿論、その角板には、その細径部を受ける軸穴が設けられている。その角板が、また、箱に固定されている。その角板に収まるその棒の細径部が中心となって、外に向かって扉が開くように作られている。その開き方は、真上から真横への回転である。その扉の回転により、その扉は開く。その扉が開いた状態を示したのが３図である。そこには、その扉が開き、その箱に溜められた海水が、水槽に移される様子が描かれている。その図４の左の図に、Ａ―Ａ｀と記されている、その矢印の方向から見たのが、先ほど述べた、図５である。そして、今、その図５を見る。その図の中で、イと記されているのが平板イで、その板が上に動く構造になっている。その平板イが上に動くことによって、その扉の開きを止めたものが無くなり、その扉が開くことになる。その扉の両側には、円弧になった薄板ハが固定されていて、その薄板の円弧に沿って、更に、幅の狭い平板二が固定されている。
その扉に固定された円弧状の薄板ハに平板二が固定されているが、その扉の開きと同時に、その薄板ハ、平板二も動く。その扉の動きに対して、平板イの動きはどうか？
その扉と円弧になっているその薄板ハとの間、その接するところに、小さな凹みがある。その凹みのところに、通常、上の述べた平板イが収まるようになっている。
ここで、先ほど述べたことを思い出そう。それは、
｛（前後するが）その様子を描こうとしたのが図５である。・・・・｝と記述した部分です。
これにより、その平板イが上に動くと、その板は、その凹みを抜け出ることになる。その凹みを抜け出た平板イは、その後もその動きはほとんどなく、そのままの状態を保っている。その平板イが動くのと同時に、その扉を抑えるものが無くなり、その扉は左に傾き、その向きは真横へとなる。それによって、その箱に入っていた海水は、その箱より外へ流れ出て、水槽へと移る。その様子を示したのが図３である。真横になったその扉、それに固定された円弧になっているその平板二の上をその平板イは滑る。そして、その平板二は扉と一体、故に、その向きを変える、真横から真上である。その円弧になっている平板二の端には、上に突き出た止め板があって、その平板イはそこで止まる。あるいは、その少し前で止まる。その扉が真横に向きを変えても、その平板イは、上に動いたままである。それは、平板二が円弧状になっていて、その平板イがその上を滑っているからである。その平板イは、その箱より海水が出た後、再び、元の位置に戻す事が求められる。【００１０】その平板イの動きによって扉は開く。それは、その水槽の海水の持つ力もさることながら、それだけでは十分ではない。その力を補うものが求められる。その扉が開こうとする時、その回転の中心となる軸がその箱の下部にある。図４の左の図を見ると、その箱の左下に、その軸に固定された円盤板ホがあるのが見える。その円盤ホに仕込まれたピン、それを押す、バネ付きの押し棒によって押され、その扉は、時を待たず、真上から真横へと回転する。それによって、箱に満たされたその海水は、次の容器、水槽へと流れ出る。その後、その開いた扉を、また、元の状態に戻すことが求められる。それは、装置全体から見て、最後の仕組みとなる。図６はそれを表したものである。【００１１】その図を見れば、それは、最初、その箱の扉を開けようとした、その仕組みと大差はない。むしろ、簡略である。つまり、その箱の下に、その扉を開く軸があるが、その軸の左端に先ほど述べた、円盤板ホがあり、それと同様な円盤板ヘがそこに示されているが、それが、その軸に固定されている。その円盤板の横にも、ピン穴があり、そこにピンが固定されている。それを使い、その扉を開から閉に導こうとする。  図６はそれを表したものである。それを、最初のその扉を開く図を参考にして見て頂けると分かるのであるが、その施設の滑り板に沿い、その箱が移動する時、その滑り板の横に設けられた、勾配になっているその当て板にその箱より突き出た物がその当て板に当たる。その箱の移動と共に、その箱より突き出た物は左へと動く、その動きを伝えるべく、連結板ト、連結板チがある。それにより、その動きがその円盤板ヘのピンに伝えられる。これにより、その円盤板ヘは、回転し、その扉は真横から真上へとその向きを変える。その扉と一体になっている、その平板二もまた、動く。その上を滑らせている、その平板イがあるが、その板の行き着くところは、その扉とその平板二との間に設けられた凹みのところである。その平板イは、そこに行くと、図５で示されている、錘Ｇの重みにより、その板は、その凹みに収まる。これにより、その箱は元の姿を得たことになる。その後、その箱は、その施設の廻りを廻り、元の位置、海中へ���行く。後は、繰り返しである。その後の事、何ら、障害になるのは見当たらないように思う。
今回、そのチェーンブロックを得て、このような新たな技術の構築を得た。この評価は如何に？  である。これは以前、誰かに話したことであるが、海洋の波の持つそのエネルギーを発電化するには、三つの問題がある、と。それは、▲１▼、発電コストの面で問題がある。▲２▼、塩害に対しての対処。▲３▼、自然の、その不規則な波に対して、どう対処するのか？  等々、その三つの問題を解決し得たならば、その発電化は可能である、と。
【発明の効果】
【０００７】係る施設を、数基、あるいは、数十基を岸より沖にある地点に設置する。その隣接する所にその本発明者が以前、発明したその波力発電装置を並べ置く。沖より進み来る波を、その波力発電装置内の受け板が、それを受けるが、それによって、確実に、その受け板は、岸側に傾く。それによって得たエネルギーを、本発明者が今回、得た、その動力取得装置が受ける。その装置の目指すのは、海水を高所へ運ぶことである。そのエネルギーの本質は、その質量と落差である。その落差を持った質量、この場合、その質量は海水である。その海水を今、本明者は手に入れた。その押し上げられた海水を用いて、発電をしようとする。それは、大きく見て、海岸であって、ダムを得るようなものである。海岸でのダムには落差には制限がある。しかし、そのダムの広さには制限が無い。例え、何キロと言えども、建設可能である。それは、山間のダムに勝るとも劣らない、雄大なダムであり、また、雄大なビジョンである。今日、日本において、その経済環境は厳しさを増している。この日本においては、エネルギーの自給率の向上は国家目標である。この発明が真に、価値ある発明とするならば、その発明の効果は計り知れない。
人類に残された最後のフロンティア、この波力発電装置の実現化が可能であるならば、正にそれは、人類に多大な幸福をもたらし、その発明の効果は計り知れない。
【図面の簡単な説明】
【０００８】
【図１】二つの施設、それを表そうとした図で、それを岸より沖に向かい、ある地点に設置しようとする。その説明は、既に、その明細書の中で述べた。
【図２】新たに得た、そのチェーンブロックを使い、それによる技術の構築を図で示そうとした図である。その説明もまた、既に、その明細書の中で述べた。
【図３】海水の入った箱が、その新たに得たチェーンブロックによって、その施設の滑り板に沿って、海面より上へ押し上げられ、あるところで、その箱の扉が開き、その箱に蓄えられた海水が、別の容器、水槽へ移される様子を描いた図である。
【図４】海水を入れようとする、その箱で、左の図は、その箱の正面を表し、右の図はその側面を表そうとした図である。
【図５】その箱の中の各部材を表そうとした図である。その図は、［図４］の中の左の図で、そこにＡ−Ａ｀と記されているが、それを、図中の矢印の方から見た図である。
【図６】開いた扉を元に戻す、その仕組みを示そうとした図である。
【発明を実施するための形態】
【０００９】図１〜図６はそれらを示したものである。具体的な実施例は図２などがそれである。
【図１】
2019183822.tif 000003
【図２】
2019183822.tif 000004
【図３】
2019183822.tif 000005
【図４】
2019183822.tif 000006
【図５】
2019183822.tif 000007
【図６】
2019183822.tif 000008